(57)【要約】【課題】撮影機能に応じた最適なシナリオを実行する。【解決手段】作品を構成する複数シーンで構成されるシナリオデータであって、シーンはそれぞれ撮像記録機能と関連付けられたシナリオデータを保持するシナリオデータ保持手段と、シナリオデータに沿って画像を撮像し記録する撮像記録手段と、撮像記録手段の機能を検知する撮像記録機能検知手段とを備える撮像記録装置であって、撮像記録手段は、撮像記録機能検知手段にて検知された撮像記録機能に応じて、シナリオデータ保持手段から前記撮像記録機能と関連付けられたシナリオデータを選択して適用する。【選択図】図１
2016009947.tif 000002
【特許請求の範囲】
【請求項１】
作品を構成する複数シーンで構成されるシナリオデータであって、前記シーンはそれぞれ撮像記録機能と関連付けられたシナリオデータを保持するシナリオデータ保持手段と、前記シナリオデータに沿って画像を撮像し記録する撮像記録手段と、前記撮像記録手段の機能を検知する撮像記録機能検知手段とを備える撮像記録装置であって、前記撮像記録手段は、前記撮像記録機能検知手段にて検知された撮像記録機能に応じて、前記シナリオデータ保持手段から前記撮像記録機能と関連付けられたシナリオデータを選択して適用することを特徴とする撮像記録装置。
【請求項２】
前記撮像記録機能検知手段は、撮像記録装置に接続される機器の機能を検知することを特徴とする請求項１に記載の撮像記録装置。
【請求項３】
前記撮像記録機能検知手段は、接続されたレンズの倍率変更機能を検知することを特徴とする請求項１に記載の撮像記録装置。
【請求項４】
前記撮像記録機能検知手段は、接続されたレンズの絞り径変更機能を検知することを特徴とする、請求項１記載の撮像記録装置。
【請求項５】
前記撮像記録機能検知手段は、接続されたレンズのＮＤフィルタ機能を検知することを特徴とする請求項１に記載の撮像記録装置。
【請求項６】
前記撮像記録機能検知手段は、接続される機器から読み取ったＩＤ情報に基づき機能を検知することを特徴とする請求項１に記載の撮像記録装置。
【請求項７】
前記撮像記録機能検知手段は、接続されたマイクの機能を検知することを特徴とする請求項１に記載の撮像記録装置。
【請求項８】
作品を構成する複数シーンで構成されるシナリオデータであって、前記シーンはそれぞれ撮像記録機能と関連付けられたシナリオデータを保持するシナリオデータ保持手段と、画像情報を保持する画像保持手段と、撮像記録機能情報を保持する撮像記録機能情報保持手段と、前記画像保持手段で保持された画像情報を再生する再生手段とを備える再生装置であって、前記再生手段は、前記撮像記録機能情報に応じて、前記シナリオデータ保持手段から前記撮像記録機能情報と関連付けられたシナリオデータを選択して適用することを特徴とする再生装置。
【請求項９】
前記撮像記録機能情報は、撮像記録装置に接続される機器の機能情報であることを特徴とする請求項８に記載の再生装置。
【請求項１０】
前記撮像記録機能情報は、接続されたレンズの倍率変更機能情報であることを特徴とする請求項８に記載の再生装置。
【請求項１１】
前記撮像記録機能情報は、接続されたレンズの絞り径変更機能情報であることを特徴とする請求項８に記載の再生装置。
【請求項１２】
前記撮像記録機能情報は、接続されたレンズのＮＤフィルタ機能情報であることを特徴とする請求項８に記載の再生装置。
【請求項１３】
前記撮像記録機能情報は、接続される機器から読み取ったＩＤ情報に基づく機能情報であることを特徴とする請求項８に記載の再生装置。
【請求項１４】
前記撮像記録機能情報は、接続されたマイクの機能情報であることを特徴とする請求項１に記載の再生装置。
【発明の詳細な説明】
【技術分野】
【０００１】
本発明は、撮像記録装置に関する。
【背景技術】
【０００２】
近年の撮像記録装置では、単に画像を撮像記録するのみならず、撮像した複数の画像をストーリーを持たせながら組合せた作品を制作することを支援する機能を持つようになってきている。
【０００３】
なぜなら、テレビや映画等で一般の視聴者が満足して楽しむことが出来る作品は、そのような作品を制作することを職業とする人々（以下、プロと称する）が、様々なノウハウを駆使して作成している。複数の画像を、いかにして一般の視聴者に満足してもらえるか試行錯誤しながら組み合わせて制作している。
【０００４】
それに対して、従来の撮像記録装置では単一の画像を撮像記録する手段しかなく、作品の制作に不慣れな大半の一般ユーザーは、そのような作品作りを行わない。もしくは作品作りを行ったとしても、プロのノウハウを持たない場合がある為、そのような一般ユーザーが作成する画像もしくは作品は、前述のテレビや映画等で一般的に見ることが出来る作品とは異なる。それら一般ユーザーが制作した作品は、例えば、製作者の家族や友人等、そして制作者自身が視聴することになるが、前述のプロの作品とは出来栄えが異なる為、興味を持って視聴することが難しくなる場合がある。そうして、一般ユーザーが撮像記録もしくは作品制作したものの、それら画像は視聴される機会が減少もしくは無くなることも多い。「撮影はしたものの、その画像を一度見ておしまい」となり、一般ユーザーが気軽に画像を楽しむ上での課題になっていた。
【０００５】
そこで、作品を制作することを支援する機能を撮像記録装置に持たせて、プロのノウハウを作品制作に不慣れな一般ユーザーが気軽に利用できるようにすることが、考えられるようになってきた。
【０００６】
一般的な作品制作支援機能は以下の構成となる。ユーザーは、作成したい作品に合うテーマを選択する。テーマは、例えば、旅行、キッズ、ホビー、スポーツ等である。テーマを選択すると、そのテーマに沿った作品を構成する複数シーンのリストが提示される。それら各シーンには内容を示す名称が付与されている。例えば、テーマでホビーを選択した場合であれば、シーン名称としては、どの様な内容を撮影すべきかの意味も含まれている。趣味紹介、好きになった経緯、家族の反応、材料を並べてみる、等である。各シーンには撮影時間が指定されている。例えば、家族の反応シーンは撮影時間１５秒、等である。撮影者は、リストの中から１つのシーンを選択して指示内容に沿って撮影を実行する。次に、未撮影の別のシーンを選択して指示内容に沿って撮影を実行する。それを繰り返すことで、それぞれ指示内容に沿って撮影した複数シーンの画像が記録される。一通りシーン撮影が完了すると、撮影者は作品の再生を実行する。すると、撮影した複数シーンがストーリー性を考慮して予め設定された順に再生される。そのように、ストーリー性のある複数シーンが連続再生される作品が完成する。
【０００７】
そのような作品制作支援機能に特有の情報を総称して、シナリオ情報、と呼称する。シナリオ情報は、テーマ、シーンリスト、各シーンの付帯情報、等で構成される。各シーンの付帯情報とは、各シーンの撮影時間等である。
【０００８】
ところで、シナリオ情報とは、撮影すべき内容を予め規定するものであるが、撮像記録装置の状態により、それが実行できない場合がある。例えば、撮像記録装置が記録する記録メディアの空き容量が少なくなると、シナリオ情報で規定した時間、撮影することは出来ない。その場合に、シナリオ情報を構成する各シーンの撮影時間を短縮化するものがある（特許文献１参照）。少なくとも動画の各シーンの撮影順序と各シーンの撮影時間の情報とを含むシナリオデータを保持するシナリオデータ保持手段と、シナリオデータの撮影順序と撮影時間に従って動画の各シーンを撮影し、その撮影画像を動画ファイルとして記録する動画撮影記録手段とを備える動画記録装置であって、動画撮影記録手段の空き容量を計算する空き容量計算手段と、空き容量が前記シナリオデータの各シーンの撮影時間のトータル値に満たないとき、シナリオデータの各シーンの撮影時間を短縮化する撮影時間短縮化手段とを備える。
【先行技術文献】
【特許文献】
【０００９】
【特許文献１】特開２００６−９３７９５号公報
【発明の概要】
【発明が解決しようとする課題】
【００１０】
しかしながら、上記従来例では、以下のような問題点があった。近年のビデオカメラは、レンズを交換できる機種が増えてきている。レンズの交換機能に対応したレンズを、交換レンズと呼称する。市販されている交換レンズには様々な機能を持ったものがある。その中でも、ズーム機能を有するいわゆるズームレンズと、ズーム機能を有しないいわゆる単焦点レンズとがある。ズーム機能とは画角を調整する機能である。画角とは、カメラで撮像される画像に写しこまれる被写体の範囲を角度で表現したものである。ズーム機能にて調整できる画角には調整可能範囲があるが、画角が広い側を広角側、画角が狭い側を望遠側と呼称する。
【００１１】
ズームは映像効果が大きく、ビデオ撮影でよく使われる。ズームを用いた撮影テクニックとしては、ズームイン、と、ズームアウト、がある。
【００１２】
ズームインは撮影中にズーム機能を広角側から望遠側に変化させるテクニックであり、望遠側で画角内に捉えた被写体に視聴者の注意を集める効果がある。例えば、公園の全景を広角側で撮影してから、次第にズームを望遠側へ変化させて、特定の樹木の下に居る人物を画角内に捉えると、その人物に視聴者の注意を集めて、その人物がいる位置を説明する効果がある。
【００１３】
ズームアウトは撮影中にズーム機能を望遠側から広角側に変化させるテクニックであり、広角側で画角内に捉えた被写体に視聴者の注意を集める効果がある。例えば、特定の樹木の下にいる人物を画角内に捉えてから、次第にズームを広角側へ変化させて、公園全体の風景を画角内に捉えると、その風景に視聴者の注意を集めて、その人物がいる場所を説明する効果がある。
【００１４】
また、近年のビデオカメラは、アクセサリーの装着により撮影機能を拡張できるものがある。例えば、音声を収集する為のマイクはビデオカメラ本体にも内蔵されているが、特定の目的に特化した外部マイクを装着することで、様々な撮影シーンに対応できる。特定の目的に特化した外部マイクの種類の１つとして、ガンマイクがある。
【００１５】
ガンマイクとは、指向性の鋭いマイクロホンのことである。撮影者から離れた被写体の発する音を集音する時に利用する。例えば、バードウォッチングにて、撮影者から離れた木の枝に止まっている鳥の鳴き声を集音したい場合、ガンマイクをビデオカメラに装着し、ガンマイクを鳥の方向に向ける。それにより、その鳥の鳴き声を効果的に集音することが出来る。
【００１６】
ここで、問題なのは、前述のシナリオ情報にて、それら撮影機能の利用を前提としたシーン設定がなされているにも関わらず、ビデオカメラ本体に、その撮影機能が備わっていない場合である。
【００１７】
例えば、シナリオ情報の内容がズーム機能を用いる場合である。前述のズームレンズがビデオカメラ本体に対して脱着可能である場合、ズームレンズが装着されている場合は、そのシナリオ情報を実行可能である。しかし、単焦点レンズが装着されている場合、そのシナリオを実行できない。
【００１８】
例えば、シナリオ情報の内容がガンマイクを用いる場合である。ガンマイクがビデオカメラ本体に対して脱着可能である場合、ガンマイクが装着されている場合は、そのシナリオ情報を実行可能である。しかし、ガンマイクが装着されていない場合は、そのシナリオ情報の目的に沿った効果的な撮影を行うことができない。
【００１９】
その解決策として、ビデオカメラが持つ撮影機能に合せたシナリオ情報を複数保持する場合では、複数保持しなくてはならない為、ビデオカメラ内部の記憶媒体の消費容量が増大するという新たな問題が発生する。また、撮影機能を撮影者がその都度確認して、複数保持するシナリオ情報から特定のシナリオ情報を選択する手間が発生するという、新たな問題が発生する。シナリオ情報は、元々、撮影行為に不慣れな初心者をアシストする目的をもっている。それにも関わらず、シナリオ情報を選択する手間が増えるということは、前述の目的に逆行するものであり、初心者のアシストを効果的に行うことが出来ないという、新たな問題が発生する。
【００２０】
本出願に係る第１の発明の目的は、シナリオ情報を実行する際、カメラの撮影機能が異なった場合でも、それぞれの撮影機能に合せた効果的なシナリオを選択して実行できる、撮像記録装置を提供することにある。
【課題を解決するための手段】
【００２１】
本発明に係る撮像記録装置の構成は、作品を構成する複数シーンで構成されるシナリオデータであって、前記シーンはそれぞれ撮像記録機能と関連付けられたシナリオデータを保持するシナリオデータ保持手段と、前記シナリオデータに沿って画像を撮像し記録する撮像記録手段と、前記撮像記録手段の機能を検知する撮像記録機能検知手段とを備える撮像記録装置であって、前記撮像記録手段は、前記撮像記録機能検知手段にて検知された撮像記録機能に応じて、前記シナリオデータ保持手段から前記撮像記録機能と関連付けられたシナリオデータを選択して適用することを特徴とする。
【発明の効果】
【００２２】
本発明によれば、撮像記録装置の撮像記録機能が変更されても、それに応じて適切にシナリオを実行することが可能となる。撮像装置の本体に内蔵された撮像記録機能の変更に対応することができ、撮像装置に接続される機器の変更にも対応することができる。また、本発明によれば、再生時に、その再生対象となる画像が撮像記録された時の撮像記録機能に応じて、適切にシナリオ情報に基づく再生を実施することができる。
【図面の簡単な説明】
【００２３】
【図１】ビデオカメラのシステム構成を示すブロック図である。
【図２】ユーザーインターフェース画面の構成を説明する図である。
【図３】シナリオデータの構成を説明する図である。
【図４】作品データの構成を説明する図である。
【図５】再生シーンリストの構成を説明する図である。
【図６】撮像記録処理の手順を説明するフローチャートである。
【図７】再生処理の手順を説明するフローチャートである。
【発明を実施するための形態】
【００２４】
以下に、本発明の好ましい実施の形態を、添付の図面に基づいて詳細に説明する。
【００２５】
＜第１の実施形態＞
図１は、本発明の第１の実施例による、ビデオカメラのシステム構成を示すブロック図である。
【００２６】
１０１はビデオカメラ全体である。１１１は交換レンズを装着する為のマウントである。１１２はＣＣＤであり、マウント１１１を介して接続された交換レンズにてビデオカメラ１０１の撮影対象となる被写体から発せられる光をＣＣＤ１１２上に結像し、ＣＣＤ１１２はその光を電気信号に変換する。１１３はカメラ信号処理部であり、ＣＣＤ１１２の電気信号を映像信号として信号処理する。１２１はマイクであり、ビデオカメラ１０１の撮影対象となる被写体から発せられる音を収集して電気信号に変換する。また、１２２は外部マイク端子であり、本端子に外部マイクを接続することが可能である。
【００２７】
１３１は記録再生制御部全体を示す。１３２は動画像記録処理部であり、カメラ信号処理部１１３が信号処理した映像信号を動画像として記録処理する。１３３は音声記録処理部であり、マイク１２１または外部マイク端子１２２に接続された外部マイクの電気信号を音声として記録処理する。
【００２８】
１０４は記録／再生制御部であり、静止画像記録処理部１１８の記録処理する静止画像、動画像記録処理部１１９の記録処理する動画像、音声記録処理部１２０の記録処理する音声に対して、記録および再生の制御を行う。
【００２９】
１３４はデータ管理部である。１４１は記録媒体制御部である。１４２は記録装置である。動画像記録処理部１３２にて記録処理された動画像、音声記録処理部１３３にて記録処理された音声は、データ管理部１３４にてデータ管理される。記録媒体制御部１４１にて記録媒体に動画像／音声を記録する為の制御が実行され、記録装置１４２に動画像／音声が記録される。
【００３０】
１４３は記録装置１４２に記録される撮影データを示しており、動画像データ１４４、音声データ１４５が含まれる。また、記録装置１４２にはシナリオデータ１４６、作品データ１４７が記録される。
【００３１】
１８１はシナリオ制御部である。１７１はビデオカメラ１０１全体、記録／再生制御部１３１、シナリオ制御部１８１を統括してシステム制御を実行するシステム制御マイコンである。また、システム制御マイコン１７１は、撮影スイッチ１７２、十字キー決定スイッチ１７３、撮影／再生モード切換スイッチ１７４の状態監視も行い、ビデオカメラ１０１の操作者により、操作が為されたかどうかの検出を行う。
【００３２】
１３５は画像再生処理部であり、記録装置１４２に記録された動画像データ１４４を、記録媒体制御部１４１、データ管理部１３４を経由して読み出し、画像の再生処理を行う。１３６はＯＳＤ（Ｏｎ  Ｓｃｒｅｅｎ  Ｄｉｓｐｌａｙ）であり、ビデオカメラ１０１の制御状態を再生画像に重畳して表示する。１５１はＬＣＤ表示回路である。１５２はＬＣＤであり、画像再生処理部１３５にて生成された再生画像に、ＯＳＤ１３６による重畳表示が為された画像を、ＬＣＤ表示回路１５１にてＬＣＤ１５２を駆動可能な電気信号に変換し、ＬＣＤ１５２にて表示する。それにより、操作者は再生画像およびビデオカメラ１０１の制御状態を見ることが出来る。
【００３３】
１３７は音声再生処理部であり、記録装置１４２に記録された撮影データ１４３に含まれる音声データ１４５を、記録媒体制御部１４１、音声データ管理部１３４を経由して読み出し、音声の再生処理を行う。１６１はスピーカであり、音声再生処理部１３７の処理した電気信号により、再生音声を発することで、操作者は再生音声を聴くことが出来る。
【００３４】
２０１は交換レンズであり、ズーム機能を持たない単焦点レンズである為、フォーカスリング２０２のみが装備されており、ズームリングは持たない。３０１は交換レンズであり、ズーム機能を持つズームレンズである為、フォーカスリング３０２とズームリング３０３が装備されている。４０１は外付けガンマイクであり、外部マイク端子１２２に接続することができる。
【００３５】
図２はＬＣＤ１５２にて表示される画面の構成を説明する図である。２０１は画面全体を示す。２０２は被写体ＥＥ画を表示する被写体ＥＥ画表示領域であり、マウント１１１を介して接続される交換レンズ、ＣＣＤ１１２、カメラ信号処理部１１３を介して撮像した画像を表示する。２０３は現在選択されているシナリオテーマを表示する。ここでは、「入学式」が選択されていることを示す。２０４は現在選択されているシーンを表示する。ここでは「正門で笑顔」が選択されていることを示す。３０５は現在選択されているシーンの撮影時間を示す。ここでは、シーン「正門で笑顔」のシーン時間は３０秒であることを示す。２０６は、現在選択されているシーンに対する撮影ガイド情報を表示する。
【００３６】
図３はシナリオデータの構成を示す。３０１はシナリオデータの全体を示す。３３１はシナリオテーマの名称を定義するデータであり、ここではテーマとして「入学式」が定義されている。３１１はリストの項目を示す行であり、３１２、３１３、３１４、３１５、３１６はその項目に対する設定値となる。
【００３７】
３２１は撮影機能が単焦点レンズであった時に撮影対象とするかどうかを定義する列である。３２２は撮影機能が単焦点レンズであった時に各シーンの再生順序を示す列である。３２３は撮影機能がズームレンズであった時に各シーンを撮影対象とするかどうかを示す列である。３２４は撮影機能がズームレンズであった時に各シーンの再生順序を示す列である。３２５はシーン名称を示す列である。３２６は撮影ガイド表示内容を示す列である。
【００３８】
図４は作品データの構成を示す。４０１は作品データの全体を示す。４１１は作品の名称を示す。ここでは「たっちゃんのにゅうがくしき」としている。４２１は本作品データを作成するにあたり利用したシナリオテーマの名称を示す。ここでは、「入学式」を利用したことを示す。４３１は本作品を作成するにあたり使用した撮影機能を示す。ここでは、単焦点レンズを用いて撮影されたことを示す。４４１はシーンリストであり、シナリオに沿って実際に撮影した画像のファイル名が記録されている。画像データの実体は作品データ４０１とは別に記録されている。４４２はリストの項目を示す行である。４４３、４４４、４４５、４４６はその項目に対する設定値となる。４４７は再生順序を示す。４４８は再生順序に対応する画像ファイル名を示す。
【００３９】
図５は再生シーンリストを示す。５０１は再生シーンリストの全体を示す。５１１は作品名称を示す。ここでは、「たっちゃんのにゅうがくしき」が定義されている。５２１はリストの項目を示す行である。５２２、５２３、５２４、５２５はその項目に対する設定値となる。５３１は再生順序を示す。５３２はシーン名称を示す。５３３は画像ファイル名を示す。
【００４０】
図６は撮影処理の手順を示す。Ｓ６０１は撮影処理の開始を示す。Ｓ６０２では、テーマを選択する。ビデオカメラ１０１では、複数のテーマのシナリオデータ３０１が保存されている。撮影者は、撮影しようとする目的に最も近いテーマを選択する。Ｓ６０３では、撮影機能を検知する。ビデオカメラ１０１は撮影機能の変更が可能である為、実際に撮影を実行する直前に撮影機能の検知を実行する。ビデオカメラに接続される機器に対する検知方法としては、交換レンズとビデオカメラ本体との間の通信により情報を取得する方法、外部マイクとビデオカメラ本体との間の通信により情報を取得する方法、通信手段を持たない機器であれば別途専用検出信号線等の検出手段を追加して情報を取得する方法などがある。
【００４１】
Ｓ６０４では、シナリオデータから、検知された撮影機能に対応して撮影対象に指定されたシーンを抽出する。Ｓ６０５ではシーンリストの表示を行う。Ｓ６０６では、シーンリストの中から撮影しようとするシーンを選択する。Ｓ６０７では、撮影ガイドが表示され撮影待機状態となる。Ｓ６０８にて撮影者により撮影スイッチ１７２が操作されたことを検出すると、Ｓ６０９に移り、撮影処理を実行する。その際、シーン時間に対する残時間を表示する。Ｓ６１０では残時間が０秒かどうかの判定をしており、０秒でなければ、Ｓ６０９に戻り撮影処理を継続する。残時間が０秒であった場合は、Ｓ６１１に移り、撮影完了処理を行う。Ｓ６１２では、撮影者が撮影を継続するかどうかを選択できる。撮影を続けるとした場合は、Ｓ６０５に戻り、再びシーンリストが表示されるので、撮影したいシーンを選択して、撮影を継続する。撮影を続けない場合は、Ｓ６１３に移り、作品名称を設定して、撮影内容を保存する。そして、Ｓ６１４に移り、処理の終わりとなる。
【００４２】
尚、前述の説明では、Ｓ６０９にて、シナリオデータ３０１で定義される各シーンに対応する撮像記録を実行し、撮像記録の結果取得した画像ファイルと前述の各シーンとの対応付けを作品データ４０１にて記録している。更には、再生時に、別途撮像記録済みの異なる画像ファイルを作品データ４０１への登録内容に入れ替えることも可能である。これにより、シナリオデータ３０１にて撮影機能毎に定義されたシナリオ情報、例えばシーン毎の再生順序の情報を活用しながら、実際に再生する画像を差し替える等の行為が可能となる。一旦撮影したものの、満足の行く撮影内容にならずに取り直すことはよくあることであり、そういった場合にも、撮影機能に応じた最適なシナリオ情報を適用することが可能となる。
【００４３】
＜第２の実施形態＞
以下、第１の実施形態に対する差異のみを説明する。図７は再生処理の手順を示す。Ｓ７０１は再生処理の開始を示す。Ｓ７０２では作品を選択する。ビデオカメラ１０１には複数の作成済み作品を保存可能であり、その中から選択する。Ｓ７０３では、作品データから作品名称を取得して再生シーンリストに格納する。再生シーンリストは再生を実施する為に直接必要になるリストであり、それを生成する。
【００４４】
Ｓ７０４では、作品データからシナリオテーマ名称と撮影機能を取得する。Ｓ７０５では、再生順序番号に０を設定する。Ｓ７０６では、シナリオテーマ名称と一致するシナリオデータの撮影機能が合致する再生順序欄にて、再生順序番号が一致する行のシーン名称を取得して、再生シーンリストに格納する。Ｓ７０７では、作品データのシーンリストから、再生順序番号が一致する行の画像ファイル名を取得して、再生シーンリストに格納する。Ｓ７０８では、取得した画像ファイル名に対応する画像ファイルデータを用いてサムネイル画像を作成する。Ｓ７０９では再生順序番号を１増加する。
【００４５】
Ｓ７１０では再生順序番号が末尾に到達したかどうかを確認する。末尾に到達していない場合は、Ｓ７０６に戻り、引き続き再生シーンリストの作成を継続する。末尾に到達した場合は、Ｓ７１１に移り、再生シーンリストをＬＣＤ１５２に表示する。Ｓ７１３では、視聴者は十字キー決定スイッチ１７３を用いて非図示のカーソルを操作して再生シーンリストから再生したいシーンを選択して再生を実行する。Ｓ７１３は処理の終わりを示す。
【００４６】
以上説明したように、本発明によれば、撮像記録装置の撮像記録機能が変更されても、それに応じて適切にシナリオを実行することが可能となる。撮像装置の本体に内蔵された撮像記録機能の変更に対応することができ、撮像装置に接続される機器の変更にも対応することができる。具体的には、接続される交換レンズの倍率変更機能すなわちズーム機能、絞り径変更機能、ＮＤフィルタ機能等の機能変更に対応できる。さらには、交換レンズのみならず、マイク等のアクセサリー接続状態の変更に対応することができる。
【００４７】
また、本発明によれば、再生時に、その再生対象となる画像が撮像記録された時の撮像記録機能に応じて、適切にシナリオ情報に基づく再生を実施することができる。
【００４８】
本実施例は、撮像記録装置および再生装置について記載したが、パーソナルコンピュータ等で実行される制御プログラムとして実施されても良い。また、撮像記録装置と再生装置が組み合わされた形態で実施しても良いことは、いうまでもない。
【００４９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５０】
１０  ビデオカメラ全体、１１１  マウント、１１２  ＣＣＤ、１０１  ビデオカメラ、
１１３  カメラ信号処理部、１２１  マイク、１２２  外部マイク端子
【図１】
2016009947.tif 000003
【図２】
2016009947.tif 000004
【図３】
2016009947.tif 000005
【図４】
2016009947.tif 000006
【図５】
2016009947.tif 000007
【図６】
2016009947.tif 000008
【図７】
2016009947.tif 000009